(57)【要約】    【課題】      基地局の負荷状態に適応して動作を制御することができるブースタを提供すること。    【解決手段】  ブースタ１００は、１つの下り信号増幅部１１１及び１つの上り信号増幅部１１２を具備する。受信信号解析部１１６は、基地局からの受信信号の止まり木チャネルの情報を解析して解析情報を生成する。停止制御部１１８は、前記基地局が輻輳状態にあることを前記解析情報が示している時に下り信号増幅部１１１を停止させる。また、停止制御部１２１は、前記基地局が輻輳状態にあることを前記解析情報が示している時に上り信号増幅部の動作を停止させる。なお、本発明は、ブースタが複数の下り信号増幅部及び複数の上り信号増幅部を具備する場合にも適用することができる。  【選択図】      図１
2006165890.tif 000002
【特許請求の範囲】
【請求項１】
１つの下り信号増幅部及び１つの上り信号増幅部を具備するブースタにおいて、
基地局からの受信信号の止まり木チャネルの情報を解析して解析情報を生成する受信信号解析手段と、
前記基地局が輻輳状態にあることを前記解析情報が示している時に前記下り信号増幅部及び前記上り信号増幅部の動作を停止させる停止制御手段と、
を具備することを特徴とするブースタ。
【請求項２】
複数の下り信号増幅部及び複数の上り信号増幅部を具備するブースタにおいて、
基地局からの受信信号の止まり木チャネルの情報を解析して解析情報を生成する受信信号解析手段と、
前記基地局が輻輳状態にあることを前記解析情報が示している時に当該解析情報に係る前記下り信号増幅部及び前記上り信号増幅部の動作を停止させる停止制御手段と、
を具備することを特徴とするブースタ。
【請求項３】
１つの下り信号増幅部及び１つの上り信号増幅部を具備するブースタにおいて、
基地局からの受信信号の止まり木チャネルの情報を解析して解析情報を生成する受信信号解析手段と、
総受信電力値が規定入力値以上であることを前記解析情報が示している時に前記下り信号増幅部及び前記上り信号増幅部の動作を停止させる停止制御手段と、
を具備することを特徴とするブースタ。
【請求項４】
複数の下り信号増幅部及び複数の上り信号増幅部を具備するブースタにおいて、
基地局からの受信信号の止まり木チャネルの情報を解析して解析情報を生成する受信信号解析手段と、
総受信電力値が規定入力値以上であることを前記解析情報が示している時に前記複数の下り信号増幅部及び前記複数の上り信号増幅部の動作を停止させる停止制御手段と、
を具備することを特徴とするブースタ。
【発明の詳細な説明】
【技術分野】
【０００１】
本発明は、基地局と移動通信機との間で送受信される信号を増幅するブースタに関するものである。
【背景技術】
【０００２】
従来のブースタとして、特許文献１に記載されたものがある。この特許文献１に記載されたブースタを具備する移動通信システムは、基地局に到来するブースタの雑音情報からブースタの利得を制御している。  
【特許文献１】特開２０００−２２４２３１号公報
【発明の開示】
【発明が解決しようとする課題】
【０００３】
しかしながら、従来のブースタを具備する移動通信システムにおいては、基地局の負荷状態に適応してブースタの動作を制御することができないという問題がある。また、従来のブースタを具備する移動通信システムにおいては、ブースタの総受信電力値が規定入力値以上の信号を受信した場合に、ブースタは信号に歪みを発生するため基地局に悪い影響を与えるという問題がある。
【０００４】
本発明は、基地局の負荷状態に適応して動作を制御することができるブースタを提供することを目的とする。また、本発明は、基地局に悪い影響を与えないブースタを提供することを目的とする。
【課題を解決するための手段】
【０００５】
本発明の第１のものに係るブースタは、１つの下り信号増幅部及び１つの上り信号増幅部を具備するブースタにおいて、基地局からの受信信号の止まり木チャネルの情報を解析して解析情報を生成する受信信号解析手段と、前記基地局が輻輳状態にあることを前記解析情報が示している時に前記下り信号増幅部及び前記上り信号増幅部の動作を停止させる停止制御手段と、を具備する構成を採る。
【０００６】
本発明の第２のものに係るブースタは、複数の下り信号増幅部及び複数の上り信号増幅部を具備するブースタにおいて、基地局からの受信信号の止まり木チャネルの情報を解析して解析情報を生成する受信信号解析手段と、前記基地局が輻輳状態にあることを前記解析情報が示している時に当該解析情報に係る前記下り信号増幅部及び前記上り信号増幅部の動作を停止させる停止制御手段と、を具備する構成を採る。
【０００７】
本発明の第３のものに係るブースタは、１つの下り信号増幅部及び１つの上り信号増幅部を具備するブースタにおいて、基地局からの受信信号の止まり木チャネルの情報を解析して解析情報を生成する受信信号解析手段と、総受信電力値が規定入力値以上でにあることを前記解析情報が示している時に前記下り信号増幅部及び前記上り信号増幅部の動作を停止させる停止制御手段と、を具備する構成を採る。
【０００８】
本発明の第４のものに係るブースタは、複数の下り信号増幅部及び複数の上り信号増幅部を具備するブースタにおいて、基地局からの受信信号の止まり木チャネルの情報を解析して解析情報を生成する受信信号解析手段と、総受信電力値が規定入力値以上でにあることを前記解析情報が示している時に前記複数の下り信号増幅部及び前記複数の上り信号増幅部の動作を停止させる停止制御手段と、を具備する構成を採る。
【発明の効果】
【０００９】
本発明の第１及び第２のものによれば、基地局が輻輳状態にあることを解析情報が示している時に下り信号増幅部及び上り信号増幅部の動作を停止させるため、基地局の負荷状態に適応して動作を制御することができる。
【００１０】
また、本発明の第３及び第４のものによれば、総受信電力値が規定入力値以上でにあることを解析情報が示している時に下り信号増幅部及び上り信号増幅部の動作を停止させるため、基地局に悪い影響を与えない。
【発明を実施するための最良の形態】
【００１１】
次に、本発明の実施の形態について、図面を参照して説明する。
【００１２】
（実施の形態１）
図１は、本発明の実施の形態１に係るブースタの構成を示すブロック図である。図１に示すように、本発明の実施の形態１に係るブースタ１００は、下り信号増幅部１１１、上り信号増幅部１１２、屋外側アンテナ１１３、共用器１１４、分配器１１５、受信信号解析部１１６、周波数選定部１１７、停止制御部１１８、共用器１１９、屋内側アンテナ１２０及び停止制御部１２１を具備している。
【００１３】
屋外側アンテナ１１３は、屋外に位置する基地局との間で信号の送受信を行うものである。屋外側アンテナ１１３は、基地局からの下り信号（下り無線信号）を受けて下り受信信号を生成して共用器１１４及び分配器１１５を介して下り信号増幅部１１１に与える。また、屋外側アンテナ１１３は、上り信号増幅部１１２からの上り信号を共用器１１４を介して受けて上り無線信号として基地局に送信する。
【００１４】
分配器１１５は、屋外側アンテナ１１３及び共用器１１４を介して受ける基地局からの下り信号を複数の下り信号増幅部１１１及び受信信号解析部１１６に分配する。下り信号増幅部１１１は、分配器１１５からの下り信号を所定の増幅の利得（増幅率）で増幅して共用器１１９に与える。
【００１５】
共用器１１９は、下り信号増幅部１１１からの下り信号を受けて屋内側アンテナ１２０に与える。屋内側アンテナ１２０は、下り信号増幅部１１１からの下り信号を共用器１１９を介して受けて下り無線信号として通信端末装置に送信する。また、共用器１１９は、通信端末装置からの上り信号を受けて上り信号増幅部１１２に与える。
【００１６】
上り信号増幅部１１２は、屋内側アンテナ１２０及び共用器１１９を介して受ける通信端末装置からの上り信号を所定の増幅率で増幅して共用器１１４に与える。
【００１７】
共用器１１４は、上り信号増幅部１１２からの上り信号を受けて屋外側アンテナ１１３に与える。屋外側アンテナ１１３は、上り信号増幅部１１２からの上り信号を共用器１１４を介して受けて上り無線信号として基地局に送信する。
【００１８】
受信信号解析部１１６は、屋外側アンテナ１１３及び共用器１１４を介して基地局からの下り信号を受ける。受信信号解析部１１６は、下り信号（受信信号）の止まり木チャネルの情報を解析して解析情報を生成して周波数選定部１１７及び停止制御部１１８、１２１に与える。この解析情報は、周波数選定情報及び基地局の輻輳状態情報を有している。
【００１９】
周波数選定部１１７は、受信信号解析部１１６からの解析情報を受けてこの解析情報の周波数選定情報に基づいて、下り信号増幅部１１１及び上り信号増幅部１１２に割り当てる周波数を選定して周波数選定信号を生成して下り信号増幅部１１１及び上り信号増幅部１１２に与える。
【００２０】
停止制御部１１８は、受信信号解析部１１６からの解析情報を受けてこの解析情報の基地局の輻輳状態情報に基づいて下り信号増幅部１１１の動作を制御する。基地局が輻輳状態であることを前記輻輳状態情報が示している時に、停止制御部１１８は、下り信号増幅部１１１の動作を停止させる。
【００２１】
また、停止制御部１２１は、受信信号解析部１１６からの解析情報を受けてこの解析情報の輻輳状態情報に基づいて上り信号増幅部１１２の動作を制御する。基地局が輻輳状態であることを前記輻輳状態情報が示している時に、停止制御部１２１は、上り信号増幅部１１２の動作を停止させる。
【００２２】
次に、本発明の実施の形態１に係るブースタ１００の下り信号増幅部１１１及び上り信号増幅部１１２について、図面を参照して詳細に説明する。図２は、本発明の実施の形態１に係るブースタ１００の下り信号増幅部１１１及び上り信号増幅部１１２の構成を示すブロック図である。
【００２３】
下り信号増幅部１１１は、低雑音増幅器２０１、ミキサ２０２、フィルタ２０３、ミキサ２０４、増幅器２０５及び局部発振器２０６を具備している。上り信号増幅部１１２は、低雑音増幅器２０７、ミキサ２０８、フィルタ２０９、ミキサ２１０、増幅器２１１及び局部発振器２１２を具備している。
【００２４】
局部発振器２０６は、周波数選定部１１７からの周波数選定信号を受けてこの周波数選定信号に応答して局部周波数信号を生成してミキサ２０２、２０４に与える。また、局部発振器２１２は、周波数選定部１１７からの周波数選定信号を受けてこの周波数選定信号に応答して局部周波数信号を生成してミキサ２０８、２１０に与える。
【００２５】
低雑音増幅器２０１は、共用器１１４及び分配器１１５を介して受ける基地局からの下り信号を所定の増幅率で増幅してミキサ２０２に与える。ミキサ２０２は、低雑音増幅器２０１からの下り信号と局部発振器２０６からの局部周波数信号を混合することにより周波数が変換された下り信号を生成してフィルタ２０３に与える。
【００２６】
フィルタ２０３は、ミキサ２０２からの下り信号の内の１つの周波数帯域の下り信号のみを通過させる。ミキサ２０４は、フィルタ２０３からの下り信号と局部発振器２０６からの局部周波数信号を混合することにより入力周波数と同じ周波数に変換された下り信号を生成して増幅器２０５に与える。増幅器２０５は、ミキサ２０４からの下り信号を所定の増幅率で増幅し共用器１１９に与える（図１）。
【００２７】
低雑音増幅器２０７は、屋内側アンテナ１２０及び共用器１１９を介して受ける通信端末装置からの上り信号を所定の増幅率で増幅してミキサ２０８に与える。ミキサ２０８は、低雑音増幅器２０７からの上り信号と局部発振器２１２からの局部周波数信号を混合することにより周波数が変換された上り信号を生成してフィルタ２０９に与える。
【００２８】
フィルタ２０９は、ミキサ２０８からの上り信号の内の１つの周波数帯域の上り信号のみを通過させる。ミキサ２１０は、フィルタ２０９からの上り信号と局部発振器２１２からの局部周波数信号を混合することにより入力周波数と同じ周波数に変換された上り信号を生成して増幅器２１１に与える。増幅器２１１は、ミキサ２１０からの上り信号を所定の増幅率で増幅して共用器１１４を介して屋外側アンテナ１１３に与える（図１）。
【００２９】
（実施の形態２）
次に、本発明の実施の形態２について、図面を参照して説明する。図３は、本発明の実施の形態２に係るブースタの構成を示すブロック図である。本発明の実施の形態２においては、本発明の実施の形態１と同じ構成要素には同じ参照符号が付されて、その説明が省略される。
【００３０】
図３に示すように、本発明の実施の形態２に係るブースタ３００は、複数の下り信号増幅部１１１−１〜１１１−４、複数の上り信号増幅部１１２−１〜１１２−４、屋外側アンテナ１１３、共用器１１４、分配器３０１、受信信号解析部１１６、周波数選定部１１７、停止制御部１１８、合成器３０２、共用器１１９、屋内側アンテナ１２０、分配器３０３、合成器３０４及び停止制御部１２１を具備している。
【００３１】
下り信号増幅部１１１−１〜１１１−４の各々は、下り信号増幅部１１１と同じ構成を有している。また、上り信号増幅部１１２−１〜１１２−４の各々は、上り信号増幅部１１２と同じ構成を有している。
【００３２】
屋外側アンテナ１１３は、屋外に位置する基地局との間で信号の送受信を行うものである。屋外側アンテナ１１３は、基地局からの下り信号（下り無線信号）を受けて下り受信信号を生成して共用器１１４及び分配器３０１を介して複数の下り信号増幅部１１１−１〜１１１−４に与える。また、屋外側アンテナ１１３は、複数の上り信号増幅部１１２−１〜１１２−４からの上り信号を合成器３０４及び共用器１１４を介して受けて上り無線信号として基地局に送信する。
【００３３】
分配器３０１は、屋外側アンテナ１１３及び共用器１１４を介して受ける基地局からの下り信号を複数の下り信号増幅部１１１−１〜１１１−４及び受信信号解析部１１６に分配する。
【００３４】
複数の下り信号増幅部１１１−１〜１１１−４は、分配器３０１からの下り信号を所定の増幅の利得（増幅率）で増幅して合成器３０２に与える。合成器３０２は、複数の下り信号増幅部１１１−１〜１１１−４からの下り信号を合成して共用器１１９に与える。
【００３５】
共用器１１９は、合成器３０２からの下り信号を受けて屋内側アンテナ１２０に与える。屋内側アンテナ１２０は、合成器３０２からの下り信号を共用器１１９を介して受けて下り無線信号として通信端末装置に送信する。また、共用器１１９は、通信端末装置からの上り信号を受けて分配器３０３に与える。分配器３０３は、屋内側アンテナ１２０及び共用器１１９を介して受ける通信端末装置からの上り信号を複数の上り信号増幅部１１２−１〜１１２−４に分配する。
【００３６】
複数の上り信号増幅部１１２−１〜１１２−４は、屋内側アンテナ１２０、共用器１１９及び分配器３０３を介して受ける通信端末装置からの上り信号を所定の増幅率で増幅して合成器３０４に与える。合成器３０４は、複数の上り信号増幅部１１２−１〜１１２−４からの上り信号を合成して共用器１１４に与える。
【００３７】
共用器１１４は、合成器３０４からの上り信号を受けて屋外側アンテナ１１３に与える。屋外側アンテナ１１３は、合成器３０４からの上り信号を共用器１１４を介して受けて上り無線信号として基地局に送信する。
【００３８】
受信信号解析部１１６は、屋外側アンテナ１１３、共用器１１４及び分配器３０１を介して基地局からの下り信号を受ける。受信信号解析部１１６は、下り信号（受信信号）の止まり木チャネルの情報を解析して解析情報を生成して周波数選定部１１７及び停止制御部１１８、１２１に与える。この解析情報は、周波数選定情報及び基地局の輻輳状態情報を有している。
【００３９】
周波数選定部１１７は、受信信号解析部１１６からの解析情報を受けてこの解析情報の周波数選定情報に基づいて、複数の下り信号増幅部１１１−１〜１１１−４及び複数の上り信号増幅部１１２−１〜１１２−４に割り当てる周波数を選定して周波数選定信号を生成して複数の下り信号増幅部１１１−１〜１１１−４及び複数の上り信号増幅部１１２−１〜１１２−４に与える。
【００４０】
停止制御部１１８は、受信信号解析部１１６からの解析情報を受けてこの解析情報の輻輳状態情報に基づいて複数の下り信号増幅部１１１−１〜１１１−４の動作を制御する。基地局が輻輳状態であることを解析情報の輻輳状態情報が示している時に、停止制御部１１８は、当該輻輳状態情報に係る下り信号増幅部１１１−１〜１１１−４の動作を停止させる。
【００４１】
また、停止制御部１２１は、受信信号解析部１１６からの解析情報を受けてこの解析情報の輻輳状態情報に基づいて複数の上り信号増幅部１１２−１〜１１２−４の動作を制御する。基地局が輻輳状態であることを解析情報の輻輳状態情報が示している時に、停止制御部１２１は、当該輻輳状態情報に係る上り信号増幅部１１２−１〜１１２−４の動作を停止させる。
【００４２】
次に、本発明の実施の形態２に係るブースタ３００の下り信号増幅部１１１−１及び上り信号増幅部１１２−１について、図面を参照して詳細に説明する。図４は、本発明の実施の形態２に係るブースタ３００の下り信号増幅部１１１−１及び上り信号増幅部１１２−１の構成を示すブロック図である。
【００４３】
下り信号増幅部１１１−１は、低雑音増幅器２０１、ミキサ２０２、フィルタ２０３、ミキサ２０４、増幅器２０５及び局部発振器２０６を具備している。上り信号増幅部１１２−１は、低雑音増幅器２０７、ミキサ２０８、フィルタ２０９、ミキサ２１０、増幅器２１１及び局部発振器２１２を具備している。
【００４４】
局部発振器２０６は、周波数選定部１１７からの周波数選定信号を受けてこの周波数選定信号に応答して局部周波数信号を生成してミキサ２０２、２０４に与える。また、局部発振器２１２は、周波数選定部１１７からの周波数選定信号を受けてこの周波数選定信号に応答して局部周波数信号を生成してミキサ２０８、２１０に与える。
【００４５】
低雑音増幅器２０１は、屋外用アンテナ１１３、共用器１１４及び分配器３０１を介して受ける基地局からの下り信号を所定の増幅率で増幅してミキサ２０２に与える。ミキサ２０２は、低雑音増幅器２０１からの下り信号と局部発振器２０６からの局部周波数信号を混合することにより周波数が変換された下り信号を生成してフィルタ２０３に与える。
【００４６】
フィルタ２０３は、ミキサ２０２からの下り信号の内の１つの周波数帯域の下り信号のみを通過させる。ミキサ２０４は、フィルタ２０３からの下り信号と局部発振器２０６からの局部周波数信号を混合することにより入力周波数と同じ周波数に変換された下り信号を生成して増幅器２０５に与える。増幅器２０５は、ミキサ２０４からの下り信号を所定の増幅率で増幅し合成器３０２に与える。
【００４７】
低雑音増幅器２０７は、屋内側アンテナ１２０、共用器１１９及び分配器３０３を介して受ける通信端末装置からの上り信号を所定の増幅率で増幅してミキサ２０８に与える。ミキサ２０８は、低雑音増幅器２０７からの上り信号と局部発振器２１２からの局部周波数信号を混合することにより周波数が変換された上り信号を生成してフィルタ２０９に与える。
【００４８】
フィルタ２０９は、ミキサ２０８からの上り信号の内の１つの周波数帯域の上り信号のみを通過させる。ミキサ２１０は、フィルタ２０９からの上り信号と局部発振器２１２からの局部周波数信号を混合することにより入力周波数と同じ周波数に変換された上り信号を生成して増幅器２１１に与える。増幅器２１１は、ミキサ２１０からの上り信号を所定の増幅率で増幅し合成器３０４に与える。
【００４９】
（実施の形態３）
次に、本発明の実施の形態３について、図面を参照して説明する。図５は、本発明の実施の形態３に係るブースタの構成を示すブロック図である。本発明の実施の形態３においては、本発明の実施の形態１と同じ構成要素には同じ参照符号が付されて、その説明が省略される。
【００５０】
図５に示すように、本発明の実施の形態３に係るブースタ５００は、下り信号増幅部１１１、上り信号増幅部１１２、屋外側アンテナ１１３、共用器１１４、分配器１１５、受信信号解析部５０１、周波数選定部１１７、停止制御部５０２、共用器１１９、屋内側アンテナ１２０、及び停止制御部５０３を具備している。
【００５１】
次に、本発明の実施の形態１と異なる本発明の実施の形態３に係るブースタ５００の動作について、図面を参照して説明する。
【００５２】
図５に示すように、受信信号解析部５０１は、屋外側アンテナ１１３、共用器１１４及び分配器１１５を介して基地局からの下り信号を受ける。受信信号解析部５０１は、下り信号（受信信号）の止まり木チャネルの情報を解析して解析情報を生成して周波数選定部１１７及び停止制御部５０２、５０３に与える。この解析情報は、周波数選定情報及び基地局から受信する総受信電力値情報を有している。
【００５３】
周波数選定部１１７は、受信信号解析部５０１からの解析情報を受けてこの解析情報の周波数選定情報に基づいて、下り信号増幅部１１１及び上り信号増幅部１１２に割り当てる周波数を選定して周波数選定信号を生成して下り信号増幅部１１１及び上り信号増幅部１１２に与える。
【００５４】
停止制御部５０２は、受信信号解析部５０１からの解析情報を受けてこの解析情報の総受信電力値情報に基づいて下り信号増幅部１１１の動作を制御する。総受信電力値が規定入力値以上でにあることを解析情報の総受信電力値情報が示している時に、停止制御部５０２は、下り信号増幅部１１１の動作を停止させる。
【００５５】
また、停止制御部５０３は、受信信号解析部５０１からの解析情報を受けてこの解析情報の総受信電力値情報に基づいて複数の上り信号増幅部１１２の動作を制御する。総受信電力値が規定入力値以上でにあることを解析情報の総受信電力値情報が示している時に、停止制御部５０３は、上り信号増幅部１１２の動作を停止させる。
【００５６】
（実施の形態４）
次に、本発明の実施の形態４について、図面を参照して説明する。図６は、本発明の実施の形態４に係るブースタの構成を示すブロック図である。本発明の実施の形態４においては、本発明の実施の形態２と同じ構成要素には同じ参照符号が付されて、その説明が省略される。
【００５７】
図６に示すように、本発明の実施の形態４に係るブースタ６００は、複数の下り信号増幅部１１１−１〜１１１−４、複数の上り信号増幅部１１２−１〜１１２−４、屋外側アンテナ１１３、共用器１１４、分配器３０１、受信信号解析部５０１、周波数選定部１１７、停止制御部６０１、合成器３０２、共用器１１９、屋内側アンテナ１２０、分配器３０３、合成器３０４及び停止制御部６０２を具備している。
【００５８】
次に、本発明の実施の形態２と異なる本発明の実施の形態４に係るブースタ６００の動作について、図面を参照して説明する。
【００５９】
受信信号解析部５０１は、屋外側アンテナ１１３、共用器１１４及び分配器３０１を介して基地局からの下り信号を受ける。受信信号解析部５０１は、下り信号（受信信号）の止まり木チャネルの情報を解析して解析情報を生成して周波数選定部１１７及び停止制御部６０１、６０２に与える。この解析情報は、周波数選定情報及び基地局から受信する総受信電力値情報を有している。
【００６０】
周波数選定部１１７は、受信信号解析部５０１からの解析情報を受けてこの解析情報の周波数選定情報に基づいて、複数の下り信号増幅部１１１−１〜１１１−４及び複数の上り信号増幅部１１２−１〜１１２−４に割り当てる周波数を選定して周波数選定信号を生成して複数の下り信号増幅部１１１−１〜１１１−４及び複数の上り信号増幅部１１２−１〜１１２−４に与える。
【００６１】
停止制御部６０１は、受信信号解析部５０１からの解析情報を受けてこの解析情報の総受信電力値情報に基づいて複数の下り信号増幅部１１１−１〜１１１−４の動作を制御する。総受信電力値が規定入力値以上でにあることを解析情報の総受信電力値情報が示している時に、停止制御部６０１は、当該総受信電力値情報に係る下り信号増幅部１１１−１〜１１１−４の動作を停止させる。
【００６２】
また、停止制御部６０２は、受信信号解析部５０１からの解析情報を受けてこの解析情報の総受信電力値情報に基づいて複数の上り信号増幅部１１２−１〜１１２−４の動作を制御する。総受信電力値が規定入力値以上でにあることを解析情報の総受信電力値情報が示している時に、停止制御部６０２は、当該総受信電力値情報に係る上り信号増幅部１１２−１〜１１２−４の動作を停止させる。
【産業上の利用可能性】
【００６３】
本発明は、基地局の負荷状態に適応して動作を制御することができる効果又は基地局に悪い影響を与えない効果を有し、ブースタに有用である。
【図面の簡単な説明】
【００６４】
【図１】本発明の実施の形態１に係るブースタの構成を示すブロック図
【図２】本発明の実施の形態１に係るブースタの下り信号増幅部及び上り信号増幅部の構成を示すブロック図
【図３】本発明の実施の形態２に係るブースタの構成を示すブロック図
【図４】本発明の実施の形態２に係るブースタの下り信号増幅部及び上り信号増幅部の構成を示すブロック図
【図５】本発明の実施の形態３に係るブースタの構成を示すブロック図
【図６】本発明の実施の形態４に係るブースタの構成を示すブロック図
【符号の説明】
【００６５】
１００、３００、５００，６００  ブースタ
１１１、１１１−１〜１１１−４  下り信号増幅部
１１２、１１２−１〜１１２−４  上り信号増幅部
１１３  屋外側アンテナ
１１４、１１９  共用器
１１５、３０１、３０３  分配器
１１６、５０１  受信信号解析部
１１７  周波数選定部
１１８、１２１、５０２、５０３、６０１、６０２  停止制御部
１２０  屋内側アンテナ
３０２、３０４  合成器
【図１】
2006165890.tif 000003
【図２】
2006165890.tif 000004
【図３】
2006165890.tif 000005
【図４】
2006165890.tif 000006
【図５】
2006165890.tif 000007
【図６】
2006165890.tif 000008